(57)【要約】【課題】対象となる文字を相当程度に拡大して表示し、十分な視認性を確保することができる携帯電子機器を提供すること。【解決手段】表示部２１と、一文字または文字列を、拡大対象として記憶する記憶部１０１と、記憶部１０１に拡大対象として記憶されている一以上の文字を表示する対象文字表示領域Ａと、対象文字表示領域Ａに表示される一以上の文字のうちの所定の一文字を、所定の倍率で拡大して表示する拡大文字表示領域Ｂを生成し、生成した対象文字表示領域Ａ及び拡大文字表示領域Ｂを表示部２１に表示する文字表示制御部１０２と、対象文字表示領域Ａに表示される一以上の文字のうちの一文字を選択する選択部１０３と、を備え、文字表示制御部１０２は、対象文字表示領域Ａに表示される一以上の文字のうちの選択されている一文字を所定の倍率で拡大した拡大文字を、拡大文字表示領域Ｂに表示する。【選択図】図４
2010152628.tif 000002
【特許請求の範囲】
【請求項１】
表示部と、
一文字または文字列を、拡大対象として記憶する記憶手段と、
前記記憶手段に拡大対象として記憶されている一以上の文字を表示する対象文字表示領域と、前記対象文字表示領域に表示される一以上の文字のうちの所定の一文字を、所定の倍率で拡大して表示する拡大文字表示領域を生成し、生成した前記対象文字表示領域及び前記拡大文字表示領域を前記表示部に表示する表示制御手段と、
前記対象文字表示領域に表示される前記一以上の文字のうちの一文字を選択する選択手段と、を備え、
前記表示制御手段は、
前記対象文字表示領域に表示される前記一以上の文字のうちの前記選択されている一文字を前記所定の倍率で拡大した拡大文字を、前記拡大文字表示領域に表示することを特徴とする携帯電子機器。
【請求項２】
前記記憶手段に拡大対象として記憶する文字列を指定する指定手段を更に備え、
前記表示制御手段は、
前記指定手段により指定された文字列のうち、所定の画数以上の文字のみを前記対象文字表示領域に表示することを特徴とする請求項１記載の携帯電子機器。
【請求項３】
前記記憶手段に拡大対象として記憶する文字列を指定する指定手段を更に備え、
前記表示制御手段は、前記指定手段により指定された文字列のうち、文字を構成するのに必要となる画素数が所定の画素数を超える文字のみを前記対象文字表示領域に表示することを特徴とする請求項１記載の携帯電子機器。
【請求項４】
前記表示部に初期画面が表示されている状態において、文字入力手段により文字の入力操作が行われたときに、当該入力操作に応じた文字を表示するための文字表示領域を有する文字表示アプリケーションを起動する起動手段を備え、
前記記憶手段は、前記起動手段により前記文字表示アプリケーションが起動されて、前記文字表示領域に所定の文字列が入力されたときに、当該文字列を記憶することを特徴とする請求項１に記載の携帯電子機器。
【発明の詳細な説明】
【技術分野】
【０００１】
本発明は、キー操作に応じて文字の入力機能を有する携帯電子機器に関する。
【背景技術】
【０００２】
携帯電子機器では、表示領域が限られているため、効率的に文章の入力が行えるように構成されている。具体的には、携帯電子機器では、入力した文字の前後を確認しながら作文が行えるような操作表示形態をとっている。ここで、当該操作表示形態の簡易な方法としては、文字の入力作業において、表示される文字サイズを制限することで、前後の文字列を一度に表示領域に表示する方法がある。しかし、この方法では、一度に表示する文字数を多くすると文字サイズが小さくなって視認性が低下し、一方で、視認性を向上しようとすると一度に表示できる文字数が限定されてしまう。
【０００３】
ここで、特許文献１によれば、変換候補を表示する際において、変換候補の文字数に応じて文字の大きさを調整する技術が提案されている。
【特許文献１】特開２００３−６０７６７号公報
【発明の開示】
【発明が解決しようとする課題】
【０００４】
ところで、携帯電子機器では、一般的にビットマップフォントが採用されているため、複数の文字サイズを保有する場合には、同一の文字に対してサイズの異なる文字を保有する必要があり、また、大きなサイズの文字は容量が大きいため、メモリへの負担が大きい問題点がある。
【０００５】
また、上述した操作表示形態の簡易な方法においては、前後の文脈を確認しながら文章を作成する目的以外の場合、すなわち単語を表示させる目的の場合であっても、文章を作成する場合と同様のフォームが利用され、同一の文字サイズが使用される。したがって、目的に応じた最適な表示形態になっていない問題点がある。
【０００６】
また、単語を表示させる目的の中には、例えば、使用者において思い出せない漢字を確認する目的や、複雑な漢字（例えば、画数の多い漢字等）を確認する目的が含まれている。このような場合においては、該当する文字（漢字）を相当程度拡大して表示する必要があるが、従来の携帯電子機器では文字の拡大には限界がある。
【０００７】
また、使用者において、携帯電子機器のアドレス帳に登録されている情報を参照しながら葉書を書く場合がある。このような場合において、宛名等に複雑な文字が含まれている場合には、相当程度に拡大しなければ正確な文字を認識することができない。
【０００８】
本発明は、文字を確認したい場合において、対象となる文字を相当程度に拡大して表示し、十分な視認性を確保することができる携帯電子機器を提供することを目的とする。
【課題を解決するための手段】
【０００９】
本発明に係る携帯電子機器は、上記課題を解決するために、表示部と、一文字または文字列を、拡大対象として記憶する記憶手段と、前記記憶手段に拡大対象として記憶されている一以上の文字を表示する対象文字表示領域と、前記対象文字表示領域に表示される一以上の文字のうちの所定の一文字を、所定の倍率で拡大して表示する拡大文字表示領域を生成し、生成した前記対象文字表示領域及び前記拡大文字表示領域を前記表示部に表示する表示制御手段と、前記対象文字表示領域に表示される前記一以上の文字のうちの一文字を選択する選択手段と、を備え、前記表示制御手段は、前記対象文字表示領域に表示される前記一以上の文字のうちの前記選択されている一文字を前記所定の倍率で拡大した拡大文字を、前記拡大文字表示領域に表示することを特徴とする。
【００１０】
また、上記携帯電子機器では、前記記憶手段に拡大対象として記憶する文字列を指定する指定手段を更に備え、前記表示制御手段は、前記指定手段により指定された文字列のうち、所定の画数以上の文字のみを前記対象文字表示領域に表示することが好ましい。
【００１１】
また、上記携帯電子機器では、前記記憶手段に拡大対象として記憶する文字列を指定する指定手段を更に備え、前記表示制御手段は、前記指定手段により指定された文字列のうち、文字を構成するのに必要となる画素数が所定の画素数を超える文字のみを前記対象文字表示領域に表示することが好ましい。
【００１２】
また、上記携帯電子機器では、前記表示部に初期画面が表示されている状態において、文字入力手段により文字の入力操作が行われたときに、当該入力操作に応じた文字を表示するための文字表示領域を有する文字表示アプリケーションを起動する起動手段を備え、前記記憶手段は、前記起動手段により前記文字表示アプリケーションが起動されて、前記文字表示領域に所定の文字列が入力されたときに、当該文字列を記憶することが好ましい。
【発明の効果】
【００１３】
本発明によれば、対象となる文字を相当程度に拡大して表示し、十分な視認性を確保することができる。
【発明を実施するための最良の形態】
【００１４】
以下、本発明の実施の形態について説明する。図１は、本発明に係る携帯電子機器の一例である携帯電話装置１の外観斜視図を示す。なお、図１は、いわゆる折り畳み型の携帯電話装置の形態を示しているが、本発明に係る携帯電話装置の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でも良い。
【００１５】
携帯電話装置１は、操作部側筐体部２と、表示部側筐体部３と、を備えて構成される。操作部側筐体部２は、表面部１０に、操作部１１と、携帯電話装置１の使用者が通話時に発した音声が入力されるマイク１２と、を備えて構成される。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５と、から構成されている。
【００１６】
また、表示部側筐体部３は、表面部２０に、各種情報を表示するための表示部２１と、通話の相手側の音声を出力するスピーカ２２と、を備えて構成されている。
【００１７】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とを折り畳んだ状態（折畳み状態）にしたりできる。
【００１８】
また、図２は、携帯電話装置１の機能を示す機能ブロック図である。携帯電話装置１は、図２に示すように、操作部１１（キー操作部）と、マイク１２と、メインアンテナ４０と、ＲＦ回路部４１と、表示制御部４２と、音声処理部４３と、メモリ４４と、制御部４５と、が操作部側筐体部２に備えられ、表示部２１（表示部）と、スピーカ２２と、ドライバＩＣ２３と、サブ表示部３０とが表示部側筐体部３に備えられている。
【００１９】
メインアンテナ４０は、第１の使用周波数帯（例えば、８００ＭＨｚ）で基地局等と通信を行い、ＧＰＳ通信のための第２の使用周波数帯（例えば、１．５ＧＨｚ）に対応できるデュアルバンド対応構成である。なお、本実施の形態では、第１の使用周波数帯として、８００ＭＨｚとしたが、これ以外の周波数帯であっても良い。また、メインアンテナ４０は、第１の使用周波数帯で外部装置と通信を行い、ＧＰＳ通信のための第２の使用周波数帯に対応できるアンテナを別途設けても良い。
【００２０】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置（基地局）に送信する。また、その一方で、メインアンテナ４０によって受信している信号の強度を制御部４５に通知を行う。
【００２１】
表示制御部４２は、制御部４５の制御にしたがって、所定の画像処理を行い、処理後の画像データをドライバＩＣ２３に出力する。ドライバＩＣ２３は、表示制御部４２から供給された画像データをフレームメモリに蓄え、所定のタイミングで表示部２１またはサブ表示部３０に出力する。
【００２２】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２３】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２４】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていても良い。
【００２５】
制御部４５は、携帯電話装置１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４、決定操作キー１５）に割り当てる記号や機能を変化させる。
【００２６】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００２７】
また、携帯電話装置１では、操作部１１による記号の入力はトグル的に動作（繰り返し表示させる動作）する。例えば、ひらがな入力の設定において、入力操作キー１４の第２行左列のキー（「１」と「あ」が表面に印刷されているキー）が連続的に押下されることにより、「あ」→「い」→「う」→「え」→「お」→「あ」・・・、とトグル的に動作する。
【００２８】
また、記号の処理を実行するとは、例えば、現在アクティブになっているアプリケーションがメモ帳の場合には、キーの押下に応じて「１」や「あ」等を表示部２１に表示することを意味している。また、機能の処理を実行するとは、例えば、現在アクティブになっているアプリケーションがテレビの場合には、キーの押下に応じて表示チャンネルを１ｃｈ等に設定することを意味している。
【００２９】
このようにして、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３０】
このように構成される携帯電話装置１では、文字を確認したい場合において、対象となる文字を相当程度に拡大して表示し、十分な視認性を確保する機能を有している。ここで、上述した機能を発揮するための構成について機能的に説明する。携帯電話装置１は、図４に示すように、表示部２１と、記憶部１０１（記憶手段）と、文字表示制御部１０２（文字制御手段）と、選択部１０３（選択手段）と、を備える。なお、記憶部１０１は、上述したメモリ４４に包括されて構成されていても良いし、メモリ４４とは物理的に異なる別個の構成であっても良い。また、文字表示制御部１０２は、上述した表示制御部４２に相当し、選択部１０３は、上述した制御部４５により発揮される機能である。
【００３１】
記憶部１０１は、一文字または文字列を、拡大対象として記憶する。文字表示制御部１０２は、記憶部１０１に拡大対象として記憶されている一以上の文字を表示する対象文字表示領域Ａと、対象文字表示領域Ａに表示される一以上の文字のうちの所定の一文字を、所定の倍率で拡大して表示する拡大文字表示領域Ｂを生成し、生成した対象文字表示領域Ａ及び拡大文字表示領域Ｂを表示部２１に表示する。
【００３２】
選択部１０３は、対象文字表示領域Ａに表示される一以上の文字のうちの一文字を選択する。具体的には、表示部２１に表示されている選択部１０３の機能を有するボタンＸを選択することにより文字列がスクロールする。
【００３３】
また、文字表示制御部１０２は、対象文字表示領域Ａに表示される一以上の文字のうちの選択されている一文字を所定の倍率で拡大し、拡大した文字を拡大文字表示領域Ｂに表示する。この文字表示制御部１０２による機能は、所定のアプリケーション（以下、文字拡大アプリケーションという。）が起動されることにより発揮される。
【００３４】
ここで、具体例を説明する。なお、以下では、「拡大確認時のはで表示」という文字列を拡大表示する一例を示し、ユーザによる操作によって文字拡大アプリケーションが起動されているものとする。記憶部１０１は、例えば、ユーザの操作によって入力された「拡大確認時のはで表示」という文字列を記憶する。文字表示制御部１０２は、記憶部１０１に拡大対象として記憶されている文字列を対象文字表示領域Ａに表示する。このとき、文字表示制御部１０２は、図５（ａ）に示すように、文字列の第１文字目を他の文字と区別するために反転表示等して対象文字表示領域Ａに表示する。
【００３５】
また、文字表示制御部１０２は、対象文字表示領域Ａに表示される文字のうちの他の文字と区別されている文字（図５（ａ）に示す例では、「拡」である）を、拡大文字表示領域Ｂに所定の倍率で拡大して表示する。なお、所定の倍率とは、図５に示す例では、対象文字表示領域Ａに表示されている文字の約９倍の大きさになる倍率である。
【００３６】
また、図５（ａ）の表示部２１に表示されているボタンＸを選択すると、対象文字表示領域Ａにおける選択表示が文字「拡」から次の文字「大」に移動する。この移動に伴って、文字表示制御部１０２は、図５（ｂ）に示すように、拡大文字表示領域Ｂに「大」の文字を拡大表示する。また、文字表示制御部１０２は、以降、ボタンＸが適宜選択されることにより対象文字表示領域Ａで選択表示する文字を順次切り替え、当該切り替えによって新たに選択された文字を拡大文字表示領域Ｂに拡大表示する。また、図５（ａ）、（ｂ）における「編集」ボタンＹが選択操作されることにより、携帯電話装置１は、対象文字表示領域Ａに表示されている文字列の編集を可能とする。また、図５（ａ）、（ｂ）における「終了」ボタンＺが選択操作されることにより、携帯電話装置１は、文字拡大アプリケーションを終了する。
【００３７】
このように構成されることにより、携帯電話装置１は、文字を確認したい場合において、対象となる文字を相当程度に拡大して表示し、十分な視認性を確保することができる。また、携帯電話装置１では、対象文字表示領域Ａを一見することにより、現在拡大文字表示領域Ｂに拡大表示されている文字が文字列全体のどこに位置しているのかをユーザに容易に把握させることができ、操作性の向上を図ることができる。
【００３８】
なお、拡大対象の文字列は、文字拡大アプリケーションが起動された状態でユーザが入力操作キー１４を操作することによって文字入力して得られる文字列に限定されない。携帯電話装置１は、図４に示すように、記憶部１０１に拡大対象として記憶する文字列を指定する指定部１０４（指定手段）を更に備える構成であっても良い。指定部１０４は、具体的には、受信メール本文中やＷｅｂ画面中において所望の文字列を範囲指定する手段や、アドレス帳に登録された氏名や住所を指定する手段である。なお、指定部１０４は、上述した制御部４５により発揮される機能である。このような構成の場合には、文字表示制御部１０２は、指定部１０４により指定された文字列のうち、所定の画数以上の文字のみを対象文字表示領域Ａに表示しても良い。なお、携帯電話装置１は、画数を設定する画数設定部を備える構成であっても良い。このような構成の場合には、文字表示制御部１０２は、ユーザの操作に応じて設定された画数以上の文字のみを対象文字表示領域Ａに表示する。
【００３９】
例えば、文字表示制御部１０２は、指定部１０４によってＷｅｂ画面上で範囲指定された文字列（例えば、「その花の名前は薔薇です」という文字列）のうち、所定の画数（例えば、１０画）以上の文字のみを対象文字表示領域Ａに表示する。本実施例では、文字表示制御部１０２は、「薔薇」を対象文字表示領域Ａに表示する。また、文字表示制御部１０２は、対象文字表示領域Ａに選択表示される文字（「薔」または「薇」）を、拡大文字表示領域Ｂに所定の倍率で拡大して表示する。
【００４０】
このように構成されることにより、携帯電話装置１は、所定の画数以上の文字を確認したい場合において、対象となる文字を相当程度に拡大して表示し、十分な視認性を確保することができる。
【００４１】
また、文字表示制御部１０２は、携帯電話装置１が指定部１０４を備える構成において、指定部１０４により指定された文字列のうち、文字を構成するのに必要となる画素数が所定の画素数を超える文字のみを前記対象文字表示領域Ａに表示するように動作する構成であっても良い。
【００４２】
一般的に、携帯電話装置１では、複数の画素の集合によって文字が構成されている。また、画素数の多い文字ほど小さな表示ではその細部が見づらく、正確な文字の認識が困難となる。したがって、携帯電話装置１は、所定の画素数を超える文字を抽出することにより、対象となる文字を相当程度に拡大して表示し、十分な視認性を確保することができる。
【００４３】
また、携帯電話装置１は、図４に示すように、起動部１０５（起動手段）を備える構成であっても良い。なお、起動部１０５は、上述した制御部４５により発揮される機能である。起動部１０５は、表示部２１に初期画面（通信を待ち受けている状態であって、他のアプリケーションが起動していないときに表示される画面）２０１が表示されている状態において（図６（ａ）を参照）、文字入力手段（操作部１１に相当する）により文字の入力操作が行われたときに、当該入力操作に応じた文字を表示するための文字表示領域Ｃを有する文字表示アプリケーションを起動する（図６（ｂ）を参照）。なお、文字の入力操作には、入力した文字の変換操作等も含まれる。
【００４４】
また、記憶部１０１は、起動部１０５により文字表示アプリケーションが起動されて、文字表示領域Ｃに所定の文字列（例えば、「薔薇」）が入力され、その後ユーザにより文字拡大アプリケーションの起動操作が行われたときに、当該文字列を記憶する。
【００４５】
文字表示制御部１０２は、記憶部１０１に記憶された文字列を対象文字表示領域Ａに表示し、また、対象文字表示領域Ａに選択表示される文字を、拡大文字表示領域Ｂに所定の倍率で拡大して表示する（図６（ｃ）を参照）。
【００４６】
このように構成されることにより、携帯電話装置１は、初期画面から文字の入力操作を行い、文字表示アプリケーションを起動し、文字表示領域に所定の文字列を入力することにより、対象となる文字を相当程度に拡大して表示し、十分な視認性を確保することができる。
【００４７】
また、携帯電話装置１では、文字は、スケーラブルフォントにより構成されているため、拡大表示しても滑らかなアウトラインで表示することができ、かつ、所定の大きさの文字に自在に変更することができ、メモリへの負担が小さいシステムを実現している。
【図面の簡単な説明】
【００４８】
【図１】携帯電話装置の外観斜視図である。
【図２】携帯電話装置の機能を示す機能ブロック図である。
【図３】キーアサインについての説明に供する図である。
【図４】携帯電話装置の機能を示す機能ブロック図である。
【図５】携帯電話装置の機能を発揮し、表示部に表示されるイメージを模式的に示す図である。
【図６】初期画面から文字表示アプリケーションが起動し、その後、文字を拡大するアプリケーションが起動する様子についての説明に供する図である。
【符号の説明】
【００４９】
１  携帯電話装置
２１  表示部
１０１  記憶部（記憶手段）
１０２  文字表示制御部（表示制御手段）
１０３  選択部（選択手段）
１０４  指定部（指定手段）
１０５  起動部（起動手段）
Ａ  対象文字表示領域
Ｂ  拡大文字表示領域
【図１】
2010152628.tif 000003
【図２】
2010152628.tif 000004
【図３】
2010152628.tif 000005
【図４】
2010152628.tif 000006
【図５】
2010152628.tif 000007
【図６】
2010152628.tif 000008